(57)【要約】【課題】  携帯電話との間のデータ送受信を飛躍的に普及させるようにする。【解決手段】  携帯電話２からの無線発信を、その携帯電話２の通話サービス提供会社のものとは異なるものである送受信仲介機３が、限定されたエリア内で受信してアクセスを受け付け、有線ネットワーク５を介してつながっているデータサーバ１との間のデータ送受信を仲介する。携帯電話２の端子に装着された誘導具４は、携帯電話２の送信部２２を使用して送受信仲介機３を介してデータサーバ１にアクセスするアクセスプログラムを有し、送受信仲介機３を介したデータサーバ１へのアクセスを誘導する。送受信仲介機３は、異なるエリア内で携帯電話２からの無線発信を受信するよう複数設けられており、仲介機特定手段によって特定された個々の送受信仲介機毎に、送受信されたデータの量を集計手段が集計する。【選択図】  図９
2005057680.tif 000002
【特許請求の範囲】
【請求項１】
携帯電話との間でデータ送受信を行うデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記送受信仲介機は、アクセスを受け付けた携帯電話に対し、データサーバとの間のデータ送受信の仲介を行うものであり、
前記誘導具は、携帯電話の送信部を使用してデータサーバにアクセスするアクセスプログラムを備えていることを特徴とする携帯電話データ送受信システム。
【請求項２】
携帯電話との間でデータ送受信を行うデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されて前記送受信仲介機を介した前記データサーバへのアクセスを誘導する誘導具とから成り、
前記送受信仲介機は、アクセスを受け付けた携帯電話に対し、データサーバとの間のデータ送受信の仲介を行うものであり、
前記誘導具は、携帯電話の送信部を使用して前記送受信仲介機を介して前記データサーバにアクセスするアクセスプログラムを有しており、
前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と
を備えていることを特徴とする携帯電話データ送受信システム。
【請求項３】
携帯電話との間でデータ送受信を行うデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介した前記データサーバへのアクセスを誘導するステップとから成り
前記データサーバへのアクセスの誘導は、誘導具が備えるアクセスプログラムにより行われるものであって、このアクセスプログラムは、前記携帯電話の送信部を使用してアクセスするものであることを特徴とする携帯電話データ送受信方法。
【請求項４】
携帯電話との間でデータ送受信を行うデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介したデータサーバへのアクセスを誘導するステップとから成り
前記データサーバへのアクセスの誘導は、誘導具が備えるアクセスプログラムにより行われるものであって、このアクセスプログラムは、前記携帯電話の送信部を使用してアクセスするものであり、
前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと
を備えていることを特徴とする携帯電話データ送受信方法。
【請求項５】
携帯電話との間でデータ送受信を行いながら広告を行う広告システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記データサーバは、前記送受信仲介機を保有する主体以外の者の商品又はサービスの広告情報を送信するものであり、
前記送受信仲介機は、アクセスを受け付けた携帯電話に対し、データサーバとの間のデータ送受信の仲介を行うものであり、
前記誘導具は、携帯電話の送信部を使用してデータサーバにアクセスするアクセスプログラムを有しており、
前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と、
集計手段の集計結果に従い、前記主体に支払う広告手数料を算出する算出手段とを備えていることを特徴とする広告システム。
【請求項６】
携帯電話との間でデータ送受信を行いながら広告を行う広告方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介したデータサーバへのアクセスを誘導するステップとから成り
前記データサーバは、前記送受信仲介機を保有する主体以外の者の商品又はサービスの広告情報を送信するものであり、
前記データサーバへのアクセスの誘導は、誘導具が備えるアクセスプログラムにより行われるものであって、このアクセスプログラムは、前記携帯電話の送信部を使用してアクセスするものであり、
前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと、
集計手段の集計結果に従い、前記主体に支払う広告手数料を算出手段が算出するステップと
を備えていることを特徴とする広告方法。
【請求項７】
顧客が来店して時間を過ごす店舗であって、
当該店舗内にいる顧客による携帯電話からの無線発信を受信してデータ送受信のアクセスを受け付ける送受信仲介機が据え付けられており、
送受信仲介機は、携帯電話の通話サービス提供会社のものとは異なるものであって、携帯電話との間でデータ送受信を行うデータサーバと有線ネットワークを介してつながっており、
送受信仲介機は、携帯電話の送信部を使用してデータサーバにアクセスするアクセスプログラムを備える誘導具が携帯電話の端子に装着されてアクセスプログラムが実行されることにより、前記データサーバへのアクセスを受け付けるものであることを特徴とする店舗。
【請求項８】
外来患者を受け付ける病院であって、
当該病院及びその付近の限定されたエリア内での外来患者による携帯電話からの無線発信を受信してデータ送受信のアクセスを受け付ける送受信仲介機が据え付けられており、
この送受信仲介機には、有線ネットワークを介してつながっているデータサーバが設けられていて、このデータサーバは、携帯電話との間でデータ送受信を行うものであり、
送受信仲介機は、携帯電話の通話サービス提供会社のものとは異なるものであって、携帯電話の送信部を使用して送受信仲介機にアクセスするアクセスプログラムを備える誘導具が携帯電話の端子に装着されてアクセスプログラムが実行されることによりアクセスを受け付けるものであり、
前記データサーバは、順番に診察される各外来患者の診察の終了状況に関するデータを送信するものであることを特徴とする病院。
【請求項９】
不特定多数の者が参加するギャンブルに関するデータを送受信するギャンブルデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記データサーバは、前記送受信仲介機がアクセスを受け付けた携帯電話との間で、前記有線ネットワークを介して前記ギャンブルに関するデータの送受信を行うものであり、
前記誘導具は、携帯電話の送信部を使用して前記データサーバにアクセスするアクセスプログラムを備えていることを特徴とするギャンブルデータ送受信システム。
【請求項１０】
前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と、
集計手段の集計結果に従い、前記主体に支払う広告手数料を算出する算出手段とを備えていることを特徴とする請求項９記載のギャンブルデータ送受信システム。
【請求項１１】
不特定多数の者が参加するギャンブルに関するデータを送受信するギャンブルデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介した前記データサーバへのアクセスを誘導するステップとから成り
前記データサーバは、前記送受信仲介機がアクセスを受け付けた携帯電話との間で、前記有線ネットワークを介して前記ギャンブルに関するデータの送受信を行うものであり、
前記データサーバへのアクセスの誘導は、誘導具が備えるアクセスプログラムにより行われるものであって、このアクセスプログラムは、前記携帯電話の送信部を使用してアクセスするものであることを特徴とするギャンブルデータ送受信方法。
【請求項１２】
前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと
集計手段の集計結果に従い、各送受信仲介機の保有者に支払う広告手数料を算出手段が算出するステップとを備えていることを特徴とする請求項１１記載のギャンブルデータ送受信方法。
【発明の詳細な説明】
【技術分野】
【０００１】
本願の発明は、携帯電話を利用したデータ送受信に関するものである。
【背景技術】
【０００２】
携帯電話は、本格的な普及期に入って久しく、音声会話の他、電子メールやコンテンツ配信など、データ送受信にも盛んに利用されている。また、携帯電話を販売促進等のビジネスツールとして利用する動きも活発になってきている。例えば、商品の安売り情報を電子メールで配信したり、電子メールからのアクセスにより商品の注文を受け付けたりすることが盛んに行われている。尚、本明細書にいおて、「携帯電話」とは、いわゆるＰＤＣ(Personal Digital Cellular)方式のみならず、ＰＨＳ(Personal Hadnyphone System)も含む概念である。
【非特許文献１】江戸川＋次世代通信研究会著「最新次世代携帯電話がわかる」（技術評論社発行）
【発明の開示】
【発明が解決しようとする課題】
【０００３】
しかしながら、携帯電話を利用したデータ送受信のネックの一つに、料金の問題がある。現状、携帯電話のデータ送受信の料金は、データの量に応じた料金となっており、音声会話の通話料金に比べるとかなりの割高感がある。データ量の多いコンテンツを受信したりすると、高額な利用料金が携帯電話会社から請求されるため、利用をためらう傾向も見られる。また、商品の販売促進用に携帯電話へのデータ送信を行っている場合、受信側の携帯電話の方で高額のデータ受信料が発生し、これが利用者の負担になるため、そのような販売促進用のコンテンツ配信を拒否する傾向も見られる。このようなことから、販売促進等のビジネスツールとしての携帯電話へのデータ配信は、あまり進んでいない。
本願の発明は、かかる課題を解決するためになされたものであり、携帯電話との間のデータ送受信を飛躍的に普及させる技術的意義を有するものである。
【課題を解決するための手段】
【０００４】
上記課題を解決するため、本願の請求項１記載の発明は、携帯電話との間でデータ送受信を行うデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記送受信仲介機は、アクセスを受け付けた携帯電話に対し、データサーバとの間のデータ送受信の仲介を行うものであり、
前記誘導具は、携帯電話の送信部を使用してデータサーバにアクセスするアクセスプログラムを備えているという構成を有する。
また、上記課題を解決するため、請求項２記載の発明は、携帯電話との間でデータ送受信を行うデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されて前記送受信仲介機を介した前記データサーバへのアクセスを誘導する誘導具とから成り、
前記送受信仲介機は、アクセスを受け付けた携帯電話に対し、データサーバとの間のデータ送受信の仲介を行うものであり、
前記誘導具は、携帯電話の送信部を使用して前記送受信仲介機を介して前記データサーバにアクセスするアクセスプログラムを有しており、
前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と
を備えているという構成を有する。
また、上記課題を解決するため、請求項３記載の発明は、携帯電話との間でデータ送受信を行うデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介した前記データサーバへのアクセスを誘導するステップとから成り
前記データサーバへのアクセスの誘導は、誘導具が備えるアクセスプログラムにより行われるものであって、このアクセスプログラムは、前記携帯電話の送信部を使用してアクセスするものであるという構成を有する。
また、上記課題を解決するため、請求項４記載の発明は、携帯電話との間でデータ送受信を行うデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介したデータサーバへのアクセスを誘導するステップとから成り
前記データサーバへのアクセスの誘導は、誘導具が備えるアクセスプログラムにより行われるものであって、このアクセスプログラムは、前記携帯電話の送信部を使用してアクセスするものであり、
前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと
を備えているという構成を有する。
また、上記課題を解決するため、請求項５記載の発明は、携帯電話との間でデータ送受信を行いながら広告を行う広告システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記データサーバは、前記送受信仲介機を保有する主体以外の者の商品又はサービスの広告情報を送信するものであり、
前記送受信仲介機は、アクセスを受け付けた携帯電話に対し、データサーバとの間のデータ送受信の仲介を行うものであり、
前記誘導具は、携帯電話の送信部を使用してデータサーバにアクセスするアクセスプログラムを有しており、
前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と、
集計手段の集計結果に従い、前記主体に支払う広告手数料を算出する算出手段とを備えているという構成を有する。
また、上記課題を解決するため、請求項６記載の発明は、携帯電話との間でデータ送受信を行いながら広告を行う広告方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介したデータサーバへのアクセスを誘導するステップとから成り
前記データサーバは、前記送受信仲介機を保有する主体以外の者の商品又はサービスの広告情報を送信するものであり、
前記データサーバへのアクセスの誘導は、誘導具が備えるアクセスプログラムにより行われるものであって、このアクセスプログラムは、前記携帯電話の送信部を使用してアクセスするものであり、
前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと、
集計手段の集計結果に従い、前記主体に支払う広告手数料を算出手段が算出するステップと
を備えているという構成を有する。
また、上記課題を解決するため、請求項７記載の発明は、顧客が来店して時間を過ごす店舗であって、
当該店舗内にいる顧客による携帯電話からの無線発信を受信してデータ送受信のアクセスを受け付ける送受信仲介機が据え付けられており、
送受信仲介機は、携帯電話の通話サービス提供会社のものとは異なるものであって、携帯電話との間でデータ送受信を行うデータサーバと有線ネットワークを介してつながっており、
送受信仲介機は、携帯電話の送信部を使用してデータサーバにアクセスするアクセスプログラムを備える誘導具が携帯電話の端子に装着されてアクセスプログラムが実行されることにより、前記データサーバへのアクセスを受け付けるものであるという構成を有する。
また、上記課題を解決するため、請求項８記載の発明は、外来患者を受け付ける病院であって、
当該病院及びその付近の限定されたエリア内での外来患者による携帯電話からの無線発信を受信してデータ送受信のアクセスを受け付ける送受信仲介機が据え付けられており、
この送受信仲介機には、有線ネットワークを介してつながっているデータサーバが設けられていて、このデータサーバは、携帯電話との間でデータ送受信を行うものであり、
送受信仲介機は、携帯電話の通話サービス提供会社のものとは異なるものであって、携帯電話の送信部を使用して送受信仲介機にアクセスするアクセスプログラムを備える誘導具が携帯電話の端子に装着されてアクセスプログラムが実行されることによりアクセスを受け付けるものであり、
前記データサーバは、順番に診察される各外来患者の診察の終了状況に関するデータを送信するものであるという構成を有する。
また、上記課題を解決するため、請求項９記載の発明は、不特定多数の者が参加するギャンブルに関するデータを送受信するギャンブルデータ送受信システムであって、
携帯電話からの無線発信を限定されたエリア内で受信してデータ送受信のアクセスを受け付けるものであってその携帯電話の通話サービス提供会社のものとは異なるものである送受信仲介機と、
送受信仲介機と有線ネットワークを介してつながっているデータサーバと、
携帯電話の端子に装着されることにより前記送受信仲介機を介した前記データサーバへのアクセスを誘導する誘導具とから成り、
前記データサーバは、前記送受信仲介機がアクセスを受け付けた携帯電話との間で、前記有線ネットワークを介して前記ギャンブルに関するデータの送受信を行うものであり、
前記誘導具は、携帯電話の送信部を使用して前記データサーバにアクセスするアクセスプログラムを備えているという構成を有する。
また、上記課題を解決するため、請求項１０記載の発明は、前記請求項９の構成において、前記送受信仲介機は、異なるエリア内で携帯電話からの無線発信を受信するよう複数設けられており、
さらに、
個々の送受信機仲介機を特定する仲介機特定手段と、
仲介機特定手段によって特定された個々の送受信仲介機毎に、その送受信仲介機を介して送受信されたデータの量又はその送受信仲介機がデータ送受信を仲介した時間を一定期間内に集計する集計手段と、
集計手段の集計結果に従い、前記主体に支払う広告手数料を算出する算出手段とを備えているという構成を有する。
また、上記課題を解決するため、請求項１１記載の発明は、不特定多数の者が参加するギャンブルに関するデータを送受信するギャンブルデータ送受信方法であって、
携帯電話からの無線発信を、その携帯電話の通話サービス提供会社のものとは異なるものである送受信仲介機が、限定されたエリア内で受信してデータ送受信のアクセスを受け付けるステップと、
アクセスを受け付けた携帯電話と、送受信仲介機と有線ネットワークを介してつながっているデータサーバとの間のデータ送受信を、送受信仲介機が仲介するステップと、
携帯電話の端子に装着された誘導具が、前記送受信仲介機を介した前記データサーバへのアクセスを誘導するステップとから成り
前記データサーバは、前記送受信仲介機がアクセスを受け付けた携帯電話との間で、前記有線ネットワークを介して前記ギャンブルに関するデータの送受信を行うものであり、
前記データサーバへのアクセスの誘導は、誘導具が備えるアクセスプログラムにより行われるものであって、このアクセスプログラムは、前記携帯電話の送信部を使用してアクセスするものであるという構成を有する。
また、上記課題を解決するため、請求項１２記載の発明は、前記請求項１１の構成において、前記送受信仲介機は、異なるエリア内で携帯電話からの無線発信を受信するよう複数設けられており、
さらに、
個々の送受信機仲介機を介機特定手段が特定するステップと、
仲介機特定手段によって特定された個々の送受信仲介機毎に、その送受信仲介機を介して送受信されたデータの量又はその送受信仲介機がデータ送受信を仲介した時間を一定期間内に集計手段が集計するステップと
集計手段の集計結果に従い、各送受信仲介機の保有者に支払う広告手数料を算出手段が算出するステップとを備えているという構成を有する。
【発明の効果】
【０００５】
以下に説明する通り、本願の請求項１乃至４いずれかに記載の発明によれば、携帯電話とデータサーバとの間のデータ送受信において、携帯電話との間の無線送受信が送受信仲介機により行われて、送受信仲介機はその携帯電話の通常の通話サービスを提供する電話会社のものではないので、この無線送受信の料金は、電話会社とは無関係に定めることができる。このため、無線送受信の料金を全く無料とすることも可能であり、携帯電話を利用したデータ送受信を飛躍的に普及させる可能性がある。
また、請求項５又は６記載の発明によれば、送受信仲介機と携帯電話との間の無線送受信が通常の通話サービスを提供する電話会社によらないので、その料金を無料とすることができ、利用者が広告情報を入手しようとするインセンティブを高めることができる。このため、利用者は、気軽に広告情報を入手することができ、広告主の側としては、非常に広告効果の高いものとなる。
また、請求項７記載の発明によれば、店舗にいる顧客が、携帯電話を使用して送受信仲介機を経由してデータサーバとの間でデータ送受信が行えるとともに、その際の送受信仲介機と携帯電話との間の無線送受信を無料とすることができる。このため、その店舗における効果的な販売促進となる。
また、請求項８記載の発明によれば、来院した外来患者が病院内又はその付近のエリアにいる場合、携帯電話の操作により、自分があと何番目に診察されるのか容易に知ることができる。また、病院の待合い室にいる必要がなく、送受信仲介機に対して無線通信可能なエリア内にいれば良い。このようなことから、待ち時間の長い病院の場合でもイライラが軽減され、別のことをしながら待つことができる。そして、この際、携帯電話と送受信仲介機の間の無線通信の費用を無料とすることができるため、病院にとって外来患者に対するサービスとして最適なものになる。
また、請求項９乃至１２いずれかに記載の発明によれば、携帯電話により簡単にギャンブルに関する情報が得られる上、利用者の通信費用の負担を少なくすることが容易であるので、サービスの普及が期待できる。
【発明を実施するための最良の形態】
【０００６】
以下、本願発明を実施するための最良の形態（以下、実施形態）について説明する。
まず、携帯電話データ送受信システムの発明の実施形態について説明する。
図１は、携帯電話データ送受信システムの発明の実施形態の概略構成を示した図である。図１に示すシステムは、基本的には、データサーバ１と各携帯電話２との間でデータの送受信を行うものである。尚、この明細書においては、「データ」とは、携帯電話において送受信される情報のうち、通常の通話サービスに係るもの以外の情報（即ち、音声情報以外のもの）を特にいうものとする。従って、ウェッブサイトのコンテンツや電子メール、写真等が、「データ」に該当する。また、「送受信」とは、送信のみを行う場合、受信のみを行う場合、又は、送信と受信の双方を行う場合をそれぞれ含む。
図１に示すシステムは、データサーバ１と、携帯電話２とデータサーバ１との間のデータ送受信を仲介する送受信仲介機３と、携帯電話２の端子に装着されて送受信仲介機３へのアクセスを誘導する誘導具４とから主に構成されている。
【０００７】
データサーバ１は、有線ネットワークを介して送受信仲介機３につながっている。有線ネットワークは、この実施形態ではインターネット(The Internet)５である。データサーバ１は、具体的にはインターネット５上のウェッブサーバであり、ルータ１０１を介してインターネット５につながっている。データサーバ１は、サーバソフトウェアがインストールされたコンピュータである。この実施形態では、後述するようにＷＡＰ(Wireless Application Protocol)に従ってデータの送受信を行う。従って、データサーバ１は、ＨＴＴＰ(Hypertext Transfer Protocol)に従ってページを提供するものの、ＷＭＬ(Wireless Markup Language)で記述されたファイル（ＷＭＬファイル）１２を備えている。
【０００８】
また、データサーバ１は、ファイアウォールとして機能するルータ１０２を介してＬＡＮ１４につながっている。そして、ＬＡＮ１４上には、受信したデータを保存するデータベースサーバ（ＤＢＳ）１３が設けられている。また、データサーバ１とＤＢＳ１３との間でデータのやりとりをする不図示のＣＧＩ（Common Gateway Interface）が設けられている。
【０００９】
図２を使用して送受信仲介機３の構成について説明する。図２は、図１のシステムが備える送受信仲介機３の概略構成を示した図である。送受信仲介機３や誘導具４の構成は、利用される携帯電話２のインターネット５への対応方式により異なる。以下、説明では、一例として携帯電話２がＷＡＰ系のインターネット対応の携帯電話（例えばＥＺｗｅｂ）であるとして説明する。
【００１０】
送受信仲介機３は、基本的には、ＷＡＰ対応のゲートウェイサーバと同等の構成である。但し、ＷＡＰ系のインターネット接続サービスを提供する携帯電話会社が設置するもの（例えばＥＺサーバ）に比べると、通信容量は格段に小さいものである。図１に示すように、送受信仲介機３は、大まかには、本体３００と、無線ユニット３０１とから成っている。本体３００と無線ユニット３０１とは、シリアルケーブルのようなケーブル３０２でつながっている。無線ユニット３０１は、壁面の上部や天井のような、無線送受信を行い易い位置に設置される。
【００１１】
より具体的には、送受信仲介機３は、送受信に共用されるアンテナ３１と、アンテナ３１を介して携帯電話２からのデータを受信する受信部３２と、アンテナ３１を介して携帯電話２にデータを送信する送信部３３と、受信部３２が受信した信号を復調する復調部３４と、データ信号を変調して送信部３３に出力する変調部３５と、ＷＡＰ及び標準的なインターネットプロトコル（ＴＣＰ／ＩＰ，ＨＴＴＰ１．１等）に従いアクセス制御を行うアクセス制御部３６とから主に構成されている。アンテナ３１、受信部３２、送信部３３、復調部３４及び変調部３５は無線ユニット３０１に設けられており、アクセス制御部３６は本体３００に設けられている。
【００１２】
アンテナ３１は、送受信切換器３７を介して受信部３２及び送信部３３につながっている。受信部３２は、アンテナ３１からの信号が入力される受信電力増幅器３２１と、受信電力増幅器３２１の出力を周波数シンセサイザ３８の出力により中間周波に変換するミキサ３２２と、ミキサ３２２の出力を増幅する中間周波増幅器３２３等から構成されている。また、送信部３３は、変調部３５の出力を増幅する中間周波増幅器３３１と、中間周波増幅器３３１の出力に周波数シンセサイザ３８の出力を混合して局発周波に変換するするミキサ３３２と、ミキサ３３２の出力を増幅する送信電力増幅器３３３等から構成されている。
【００１３】
この実施形態では、ＣＭＤＡ方式のようにスペクトル拡散を採用しており、変調部３５は、スペクトル拡散変調を行うようになっている。具体的には、変調部３５は、アクセス制御部３６から送られたデータを変調するデータ変調部３５１と、データ変調部３５１の出力する拡散変調する拡散変調部３５２と、拡散変調部３５２に拡散符号を供給する拡散符号発生器３５３等から構成されている。尚、「○○器」という言うとき、それが一つのチップや部品によって構成されている場合もあるし、あるチップや部品の一部である場合（システムＬＳＩ等）もある。
【００１４】
復調部３４は、変調部３５に合わせた検波器３４１、データビット判定器３４２、クロック再生器３４３、キャリア検出器３４４等を備えており、受信したデータをアクセス制御部３６に送るようになっている。尚、スペクトラム拡散方式のため、復調部３４は、スペクトル逆拡散を行うようになっており、マッチトフィルタ３４５を含んでいる。
尚、アンテナ３１と送受信切換器３７の間には、バンドパスフィルタ（ＢＰＦ）３１１が設けられている。このＢＰＦ３１１は、局周波のみを取り出すためのものである。また、受信部３２と復調部３４の間、及び、送信部３３と変調部３５の間にもそれぞれ不図示のＢＰＦが設けられている。これらのＢＰＦは、中間周波のみを取り出すためのものである。
【００１５】
また、アクセス制御部３６は、バスライン３６１に沿って、シリアルポート３６２、ＣＰＵ３６３、メモリ３６４、ハードディスク３６５、ＬＡＮポート３６６を備えている。ハードディスク３６５には、ＷＡＰに従い携帯電話２とデータサーバ１との間のデータ送受信を仲介するゲートウェイサーバプログラムがインストールされている。図３を使用して、ゲートウェイサーバプログラムについて説明する。図３は、ＷＡＰにおけるプロトコルレイヤの構造を示す概略図である。
【００１６】
ＷＡＰ対応の携帯電話２では、ＷＡＰに従ったプロトコルで通信が行われる。図３に示すように、ＷＡＰでは、ＧＳＭ(Global System for Mobile Communication)、ＣＤＭＡ(Code Division Multiple Access)、ＰＤＣなどの無線ネットワークに対応しており、ネットワーク層においてどのネットワークを介したアクセスであるかが識別される。また、トランスポレート層では、ＷＤＰ又はＵＤＰ／ＩＰが使用される。ＷＤＰ(Wireless Datagram Protocol)は、相手からの確認応答無しのプロトコルで、ＩＰ(Internet Protocol)に対応していない携帯電話２からのアクセスに対して使用される。ＩＰに対応している携帯電話２からのアクセスの場合、ＵＤＰ(User Datagram Protocol)が使用される。ＵＤＰは、ＴＣＰ（コネクション型）とは異なり、接続（コネクション）を確立しないでいきなり通信を開始するデータグラム通信プロトコルである。
【００１７】
トランザクション層では、ＷＴＰ(Wireless Transaction Protocol)により通信が行われる。ＷＴＰは、リクエストレスポンス形のトランザクションを実現するためのプロトコルである。ＴＣＰと比べると、ＷＷＷ形のトランザクションに特化することにより、プロトコルの軽量化が図られている。
セッション層では、ＷＳＰ(Wireless Session Protocol)により通信制御が行われる。ＷＳＰは、ＨＴＴＰ１．１と同等の機能を持ち、伝送量を削減するためのバイナリエンコーディング機能や、セッション中断・再開機能、プッシュ機能などを備えている。
【００１８】
アプリケーション層では、ＷＡＥ(Wireless Application Emvironment)に従って通信が行われる。ＷＡＰでは、ＷＡＰクライアント向けマークアップ言語として、ＸＭＬに準拠したＷＭＬが使用される。ＷＭＬは、画面が小さく、処理能力に制限のある携帯電話２やモバイル端末用に適した言語である。ＥＺｗｅｂのサービスでは、ＨＤＭＬ(Handheld Device Markup Language)と呼ばれる言語で記述されたファイルが提供されることがあり、この実施形態でもＨＤＭＬファイルが送受信されることもある。また、スクリプト言語が使用される場合、ＷＡＰ  Ｓｃｒｉｐｔが採用される。尚、ＷＡＰの仕様は、ＷＡＰ  Ｆｏｒｕｍで公開されているので、各層のプロトコルのさらなる詳細な説明は、割愛する。
【００１９】
図４は、ゲートウェイサーバプログラムの構成について概略的に示した図である。ゲートウェイサーバプログラムは、ＷＡＰ対応の携帯電話２との間では、ＷＡＰにより通信を行い、データサーバ１との間では一般的なＴＣＰ／ＩＰにより通信を行うよう構成されている。携帯電話２からのリクエストからのＷＤＰ又はＵＤＰ／ＩＰに従って受け取り、それをＴＣＰ／ＩＰに変換する。そして、ルート情報、ＴＣＰ／ＩＰに従い、インターネット５を介してデータサーバ１にアクセスする。データサーバ１は、ＷＭＬで記述されたファイルを有しており、この携帯電話２からのリクエストには、このファイルの取得が含まれる。データサーバ１からは、ＷＭＬファイルが送受信仲介機３に送られ、送受信仲介機３でＷＭＬのバイナリエンコーディングが行われる。バイナリエンコードされたＷＭＬファイルは、リクエストを送った携帯電話２に無線送信される。携帯電話２には、ＷＭＬブラウザがインストールされており、送られたＷＭＬファイルが画面上に表示される。
【００２０】
次に、誘導具４及び誘導具４によって誘導される携帯電話２の構成について説明する。図５は、携帯電話２に装着される誘導具４の外観概略図、図６は、誘導具４及び誘導具４によって誘導される携帯電話２の概略構成を示すブロック図である。
図５に示すように、誘導具４はいわゆるスティックタイプのもので、携帯電話２のデータ端子に装着される小さなものである。このような誘導具４に似たタイプのものとしては、フレパーネットワークス（株）から商品名「ＮＡＶＩＧＥＴＹ」として市販されている。誘導具４は、このＮＡＶＩＧＥＴＹに変更を加えたものとなっている。
【００２１】
また、携帯電話２の概略構成について説明すると、図６に示すように、携帯電話２は、大きくは、受信部２１、送信部２２、ベースバンド信号処理部２３、主制御部２４、メモリ２５、ヒューマンインタフェース部２６、外部インタフェース部２７等から成っている。
受信部２１は、局発周波を取り出す受信フィルタ２１１と、取り出された局発周波を中間周波に変換するミキサ２１２と、変換された信号を増幅する中間周波増幅器２１３と、増幅された中間周波信号をベースバンド信号に復調する復調器２１４などから構成されている。
【００２２】
送信部２２は、ベースバンド信号からＩＱ信号を発生させるＩＱ信号発生器２２１と、ＩＱ信号発生器２２１の出力を周波数シンセサイザ２８の出力に混合し、局発周波に変換するミキサ２２２と、ミキサ２２２の出力を増幅する送信電力増幅器２２３と、送信フィルタ２２４等から主に構成されている。
ベースバンド信号処理部２３は、スペクトル拡散制御や音声信号のＡ−Ｄ変換を含む各種の信号処理が行われるようになってる。主制御部２４はＣＰＵを含み、各部の必要な制御を行うものである。特に、周波数シンセサイザ２８における局周波数の変更制御、送信電力増幅器２２３のレベル変更制御等が行えるようになっている。
【００２３】
メモリ２５は、必要なプログラムを記憶したり、電話番号等のユーザーが入力した情報を記憶するものである。ヒューマンインターフェース部２６は、ディスプレイやキーボード、マイクロフォン等を含み、外部インターフェース部２７は、データ端子や電源ポートなどを含む。尚、アンテナ２９は、送受信切換器２９１を介して受信部２１と送信部２２に共用される。
【００２４】
次に、誘導具４の構成について説明する。
図７は、図１に示す誘導具４の概略構成を示す図である。図７に示すように、誘導具４は、出力ポートを含む所定のインターフェース４１と、携帯電話２が接続された否かを常時モニタするモニタ４２と、モニタ４２のモニタ結果に従い起動するアクセスプログラム及びＵＲＬ情報を記憶したメモリ４３と、アクセスプログラムを実行するプロセッサ４４等から構成されている。
【００２５】
インターフェース４１は、装着される携帯電話２のデータ端子に適合するインターフェースとなっており、コネクタの形状も、装着される携帯電話２に適合したものとなっている。プロセッサ４４は、８ビット程度のものでよく、メモリ４３は、数ＫＢ（例えば４ＫＢ）程度でよい。メモリ内蔵型のプロセッサが使用されることもある。
【００２６】
モニタ４２は、インターフェース２１のプロトコルに従い、所定のポートをモニタすることで携帯端末に装着されたことを検出するようになっている。メモリ４３は、ＳＲＡＭ又はＲＯＭ等である。アクセスプログラムは、携帯電話２の接続を検出したモニタ回路４２からの信号が入力されると、メモリ４３から呼び出されて自動実行されるようになっている。
【００２７】
図８は、アクセスプログラムの概略を示すフローチャートである。図８に示すように、アクセスプログラムは、誘導具４の出力ポートに携帯電話２が装着されたことを確認した信号がモニタ４２から入力されると、周波数変更信号、パワーレベル変更信号及びアクセス開始信号を送る。周波数変更信号は、携帯電話２の周波数シンセサイザ２８における局周波数を変更する信号である。パワーレベル変更信号は、携帯電話２の送信電力増幅器２２３のレベルを変更するものである。
アクセス開始信号は、携帯電話２のブラウザを起動させ、インターネット５を経由して所定のＵＲＬ上のＷＭＬファイルを取得して携帯電話２のディスプレイ上に表示させる信号である。アクセス開始信号の出力により、アクセスプログラムは、終了する。
【００２８】
次に、携帯電話２と送受信仲介機３の間の通信のための構成について説明する。
誘導具４によってアクセスプログラムが実行されると、前述したように、周波数変更信号及び出力変更信号が出力され、併せてアクセス開始信号が出力される。これらの信号が出力されると、携帯電話２の主制御部２４は、まず周波数シンセサイザ２８に周波数を変更する制御信号を送るよう構成されている。この際の周波数は、携帯電話２での通常の通話の際のチャンネル切り替えにおける周波数帯からは大きく外れた所定の値である。以下、この周波数をローカル周波数と呼ぶ。また、携帯電話２の主制御部２４は、送信電力増幅器２２３にレベル変更信号を送り、送信出力が所定の小さい電力になるようにするよう構成されている。以下、この出力をローカル出力と呼ぶ。これらの制御により、携帯電話２の送信部２２からアンテナ２９を介して送られる電波は、携帯電話２の通常の周波数帯から大きく外れたローカル周波数で電力の小さいローカル出力となる。
【００２９】
これらの変更は、携帯電話２からの発信が、その携帯電話２の通話サービスを提供する会社の中継機（以下、通常中継機）によって捕捉されないようにするためであるとともに、電波法等の法律に抵触しないようにするためである。
より具体的に説明すると、例えば、電波法施行規則第６条第１項では、微弱な電波については周波数にかかわらず免許無しに自由に利用できることを定めている。例えば３２２ＭＨｚより高く１０ＧＨｚ以下の帯域では、電界強度が３５μＶ／ｍ以下であれば免許無しに利用できるとされている。従って、ローカル周波数をこの帯域のいずれかの周波数とし、電界強度が３５μＶ／ｍ以下となるようなローカル出力とする。この帯域には、現状の携帯電話サービスが使用している周波数が含まれるので、場合によってはローカル電力への変更のみで、周波数は変えない場合もある。３５μＶ／ｍ以下程度の強度であると、通信可能な距離は、環境によっても若干変わるが、３０ｍ程度である。従って、送受信仲介機３が通常中継機のある場所に余程近くない限り、通常中継機によって捕捉されることはない。勿論、微弱電波であっても、あるローカル周波数に変更するようにしても良い。
また、電波法施行規則第６条第４項では、特定の周波数について、免許を要しない小電力無線について規定している。これに従うと、例えば２．４ＧＨｚ帯や５ＧＨｚ帯において１０ｍＷ以下の空中線電力（一部３ｍＷ以下）であれば免許を要しないとされている。従って、ローカル周波数を２．４ＧＨｚ又は５ＧＨｚとし、ローカル出力を１０ｍＷ以下（又は３ｍＷ以下）に変更するようにしても良い。
【００３０】
一方、店舗内に据え付けられた送受信仲介機３は、ローカル周波数及びローカル出力の電話を捕捉するよう構成されている。具体的には、前述した送受信仲介機３の周波数シンセサイザは、ローカル周波数で同期するよう構成されている。また、受信部３１は、ローカル出力の電波を増幅して検波・復調できるよう構成されている。従って、携帯電話２からの発信は、そのエリア（セル）を管轄する通常中継機によっては捕捉されず、専ら送受信仲介機３によってのみ捕捉されるようになっている。
【００３１】
次に、携帯電話データ送受信方法の発明の実施形態の説明も兼ね、上記構成に係る携帯電話データ送受信システムの動作について説明する。
前述した送受信仲介機３は、ある店舗に据え付けられている。この店舗は、顧客が来店して時間を過ごす店舗である。具体的には、レストラン、喫茶店、ゲームセンター等である。誘導具４は顧客が持参するか、又は、店舗内で顧客に渡される。「渡される」とは、店員から渡される場合もあるし、テーブル等に予め置いてある場合もある。
【００３２】
顧客が、持参した携帯電話２に誘導具４を装着すると、前述したようにアクセスプログラムが実行される。前述したように、周波数変更信号及び出力変更信号が出力され、併せてアクセス開始信号が出力される。これらの信号が出力されると、前述したように、ローカル周波数及びローカル出力の設定に変更される。そして、アクセス開始信号の出力により、携帯電話２のブラウザが起動され、インターネット５上の所定のＵＲＬのウェッブページのＷＭＬファイルを取得するよう携帯電話２から無線送信が行われる。
【００３３】
携帯電話２からの無線送信は、ローカル周波数及びローカル出力であるので、前述したように送受信仲介機３により捕捉される。送受信仲介機３は、アンテナ３１によりこれを受信し、受信部３２を介して復調部３４で復調する。復調された信号はアクセス制御部３６に送られ、前述したようにＷＡＰに従ってＵＲＬ情報を確認する。そして、アクセス制御部３６は、ＴＣＰ／ＩＰに従ってインターネット５上のデータサーバ１にアクセスし、指定されたＷＭＬファイルを取得する。
【００３４】
アクセス制御部３６は、取得したＷＭＬファイルをバイナリエンコーディングした後、変調部３４に送る。変調部３４では、データ変調及びスペクトル拡散変調を行って信号を送信部３３に送る。送信部３３では、ローカル周波数に混合した後、ローカル出力に増幅してアンテナ３１を介して送信する。
【００３５】
アンテナ３１からの無線送信は、スペクトル逆拡散により、アクセス要求を行った携帯電話２が受信し、ブラウザにより携帯電話２のディスプレイ上に表示される。携帯電話２のキーが操作され、別のページを表示させる信号が携帯電話２から無線送信された場合、同様に動作により、送受信仲介機３を介してデータサーバ１にページ取得のための信号が送られ、取得したＷＭＬファイルが送受信仲介機３でバイナリエンコーディングされて携帯電話２に送られる。また、携帯電話２から別のウェッブサイドのファイルを取得するよう無線送信が行われた場合も同様であり、ＷＡＰ及びＴＣＰ／ＩＰに従い、送受信仲介機３が別のデータサーバ１にアクセスし、リクエストされたＷＭＬファイルを取得する。
【００３６】
ウェッブサイト上で商品の購入注文をする場合のように、携帯電話２から何らかのデータがデータサーバ１に送られる場合も、通常のデータ通信の場合と同様であり、送受信仲介機３は、ＷＡＰ及びＴＣＰ／ＩＰのアプリケーション層のプロトコルに従いデータをデータサーバ１に送る。データサーバ１は、必要に応じ、ＣＧＩ等を介してデータをＤＢＳ１３に送り、データベースファイルに記録する。
【００３７】
上記構成に係る実施形態のシステム又は方法によれば、携帯電話２とデータサーバ１との間のデータ送受信において、携帯電話２との間の無線送受信が送受信仲介機３により行われている。送受信仲介機３は、その携帯電話２の通常の通話サービスを提供する電話会社のものではないので、この無線送受信の料金は、電話会社とは無関係に定めることができる。例えばこの実施形態のように送受信仲介機３が店舗に据え付けられる場合、その店舗の販促ツールと捉え、無線送受信の料金を全く無料とすることも考えられる。このようにすると、携帯電話２を持参する顧客は、全く無料でデータ送受信を行うことができ、携帯電話２によるデータ送受信の普及に大変有意義となる。尚、送受信仲介機３とデータサーバ１との間の有線通信に係る費用は店舗側が負担することになるが、公衆回線を使用するので、インターネット常時接続等の低廉な費用設定を選択でき、費用負担は小さい。場合によっては、送受信仲介機３とデータサーバ１との間を専用回線としても良い。
【００３８】
上記実施形態において、誘導具４によって送受信仲介機３を介して携帯電話２からデータ送信を行う場合、携帯電話２のメモリ２５に記憶されている個人情報を併せて送信することが可能である。携帯電話２で商品の注文をするような場合、氏名や電話番号のような簡単な個人情報は、携帯電話２のメモリ２５に記憶されたものをそのまま送信する場合がある。
【００３９】
上記実施形態において、送受信仲介機３が据え付けられる店舗は、いわゆるインターネットカフェやまんが喫茶の場合があり得る。このような店舗においては、顧客の滞在時間を基準にして料金が課されることもある。即ち、入店時に入店時刻を記載した入店カードを顧客に渡し、退店時に滞在時間から料金を算出する。この場合、自動的に料金を算出する料金算出手段が備えられることもある。入店時間及び退店時間から滞在時間を算出し、所定の計算式に基づいて料金を算出する手段である。料金算出手段は、プロセッサと印字手段を備えており、キャッシュレジスタやタイムカードのようなものを応用した構成とされる。
【００４０】
次に、広告システムの発明の実施形態について説明する。
図９は、広告システムの発明の実施形態の概略構成を示した図である。図９に示す広告システムは、上述したデータ送受信システムの発明の実施形態を利用したものとなっている。具体的には、データサーバ７１から、各携帯電話２に広告情報を送信するシステムとなっている。広告情報は、本体７２０及び無線ユニット７２１から成る送受信仲介機７２を保有する主体（例えば店舗オーナー）以外の者の商品又はサービスの広告情報を送信するものとなっている。
【００４１】
データサーバ７１は、ルータ７４１を介してインターネット５１につながっており、広告主が保有する不図示の情報端末にインターネット５を介してつながっている。情報端末とは、パソコン、ＰＤＡ、携帯電話等である。また、データサーバ７１には、広告主からの広告申し込みを受け付けるためのウェッブページ（以下、広告受付ページ）を提供するためのファイル７１１が備えられている。このファイル７１１は、ＨＴＭＬファイルであるが、携帯電話からアクセスも考慮して同内容のＷＭＬファイルも設けられている。また、データサーバ７１には、ファイアウォールとして機能するルータ７４２を介してＬＡＮ７４が設けられている。そして、ＬＡＮ７４上には、申し込みを受けた広告内容をデータベース化して登録するデータベースファイル（以下、広告内容ＤＢＦ）７３０がＤＢＳ７３に備えられている。
【００４２】
広告主は、情報端末を操作してデータサーバ７１にアクセスし、広告受付ページを表示し、任意の広告内容を入力して送信する。データサーバ７１は、送られたデータを不図示のＣＧＩを介してＤＢＳ７３に送り、ＤＢＳ７３がそれを広告内容ＤＢＦ７３０に登録するようになっている。
【００４３】
一方、データサーバ７１には、一般の顧客からのアクセスを受け付けるためのページ（以下、広告ページ）を提供するＷＭＬファイル７１２が設けられている。このＷＭＬファイル７１２は、データ送受信システムにおけるものと同様であり、送受信仲介機７２を経由したアクセスにより提供されるものである。即ち、広告ページのＵＲＬ情報に自動的にアクセスしてファイルを取得するように、前述した誘導具４のアクセスプログラムがプログラミングされている。
【００４４】
広告内容ＤＢＦ７３０は、広告ページにアクセスした顧客が携帯電話３を操作して任意の広告内容を選択した際に、ＣＧＩを介して送られたＳＱＬ文に従って検索され、選択された広告内容がＣＧＩを通して返される。そして、広告内容は、、データサーバ７３上でＷＭＬ文に変換され、リクエストしてきた携帯電話３に送信される。これにより、顧客は、携帯電話３のディスプレイ上で広告内容を見ることになる。広告ページは、広告内容のジャンル毎に検索メニューが設けられており、顧客は、任意のジャンルで検索を行って広告内容を閲覧できるようになっている。
【００４５】
また、この実施形態の広告システムは、送受信仲介機７２を利用した広告ビジネスを最適化するため、さらに、個々の送受信機仲介機を特定する仲介機特定手段と、仲介機特定手段によって特定された個々の送受信仲介機７２毎に、その送受信仲介機７２を介して送受信されたデータの量を一定期間内に集計する集計手段と、集計手段の集計結果に従い、送受信仲介機７２の保有主体に支払う広告手数料を算出する算出手段とを備えている。
【００４６】
これらの手段は、データサーバ７１と、データサーバ７１内に設けられたデータ量集計プログラム７１３及び広告手数料算出プログラム７１４によって構成されている。以下、これらのプログラムについて、図１０及び図１１を使用して説明する。図１０は、図９の実施形態におけるデータ量集計プログラムの概略構成を示したフローチャート、図１１は、広告手数料算出プログラムの概略構成を示したフローチャートである。
【００４７】
図９に示すように、送受信仲介機７２は、複数（望ましくは多数）設けられている。各送受信仲介機７２は、各店舗にそれぞれ据え付けられている。各送受信仲介機７２には、ＩＤが付与されており、各送受信仲介機７２の情報は、ＤＢＳ７３に設けられた仲介機ＤＢＦ７３１にデータベース化されて記録されている。仲介機ＤＢＦ７３１は、
・仲介機ＩＤ
・ＩＰアドレス
・保有者ＩＤ
等のフィールドからなるレコードを送受信仲介機７２毎に複数又は多数登録したファイルである。尚、一つの店舗で複数の送受信仲介機７２が据え付けられる場合もあり、この場合もそれぞれ別のレコードに登録される。
【００４８】
また、ＤＢＳ７３には、保有者ＤＢＦ７３２が設けられている。保有者ＤＢＦ７３２は、広告手数料の支払いのために設けられているファイルで、
・保有者ＩＤ
・保有者名
・保有者店舗名
・店舗所在地
等のフィールドからなるレコードを保有者ＩＤ毎に複数又は多数登録したファイルである。
【００４９】
さらに、ＤＢＳ７３には、各送受信仲介機７２を経由したデータの送信量を集計して記録したＤＢＦ（以下、送信量ＤＢＦ）７３３が設けられている。送信量ＤＢＦは、ファイルボリュームを小さくするため、
・ＩＰアドレス
・合計パケット長
のフィールドのみから成るレコードを複数又は多数登録したものとなっている。
【００５０】
データ量集計プログラム７１３は、データサーバ７１のハードディスクに予めインストールされている。データ量集計プログラム７１３は、データサーバ７１に常駐しており、データサーバ７１がアクセスされて広告内容のデータが送信されるたびに自動実行される。
具体的には、図１０に示すように、ＨＴＴＰに従ってＷＭＬファイル７１２の送信要求があり返信応答してＷＭＬファイル７１２を送信すると、まず、送信先のＩＰアドレスと、その送信におけるパケット長がそれぞれメモリ変数に格納して記憶される。次に、ＩＰアドレスを検索キーにして送信量ＤＢＦ７３３が検索され、該当するＩＰアドレスの合計パケット長を読み込む。そして、今回送信したパケット長を新たに加算して更新すると、データ量集計プログラム７１３は終了である。
【００５１】
広告手数料算出プログラム７１４は、定期的に（例えば月に１回）実行される。図１１に示すように、まず、保有者ＤＢＦ７３２を開き、最初のレコードの保有者ＩＤを読み込む。そして、これを検索キーにして仲介機ＤＢＦ７３１を検索し、この者が保有する送受信仲介機７２のレコードのＩＰアドレスを読み込む。そして次に、このＩＰアドレスを検索キーにして送信量ＤＢＦ７３３を開き、その合計パケット長を読み込んだ後、そのデータを０にリセットする。
【００５２】
次に、合計パケット長を所定の計算式に当てはめて広告手数料を算出する。所定の計算式とは、パケット長にある係数を掛けて算出する式であったり、所定の料金テーブルに当てはめて算出する式であったりする。
次に、同じ保有者ＩＤで仲介機ＤＢＦ７３１の検索を続行し、この者が保有する他の送受信仲介機７２のレコードがないかどうか検索する。レコードがあれば、同様にＩＰアドレスを読み込んで広告手数料を算出し、最初に求めたものに加算する。他の送受信仲介機７２のレコードがなければ、求めた広告手数料を出力し、保有者ＤＢＦ７３２の次のレコードに移る。そして、同様に次の保有者についても、保有する送受信仲介機７２のＩＰアドレスを検索キーにして送信量ＤＢＦ７３３を検索し、広告手数料を算出する。保有者ＤＢＦ７３２のすべてのレコードについてこれを行うと、広告手数料算出プログラム７１４は終了となる。尚、出力された広告手数料は、必要に応じ、所定のフォーマットの用紙に印刷される。広告手数料は、送受信仲介機７２を使わせてもらった対価として支払われるものなので、送受信仲介機７２の保有者に所定の時期に郵送、ＦＡＸ、Ｅメール等の手段により送られる。
【００５３】
上記構成に係るこの実施形態の広告システム又は広告方法によれば、データ送受信システムの実施形態と同様、送受信仲介機７２と携帯電話２との間の無線送受信が通常の通話サービスを提供する電話会社によらないので、その料金を無料とすることができる。このため、利用者が広告情報を入手しようとするインセンティブが高められる。従来だと、広告情報を入手する際、高額なデータ送信料が電話会社から利用者に請求されるため、広告情報の入手をためらってしまう傾向があり、携帯電話２を利用した広告ビジネスが普及しない原因の一つになっていた。しかし、この実施形態によれば、このような問題はなく、気軽に広告情報を入手することができる。このため、広告主の側としては、非常に広告効果の高いものとなる。
【００５４】
また、送受信仲介機７２の保有者は、送受信仲介機７２とデータサーバ７１との間の有線通信費用を負担することになるが、この間の費用は比較的低額であるし、上述したように、広告手数料が手数料として支払われるので、充分に相殺できる。場合によっては、この広告ビジネスを展開する広告代理店が、送受信仲介機７２を無料で各店舗に貸し出したり、送受信仲介機７２とデータサーバ７１との間の有線通信費用を全額負担したりすることもあり得る。
【００５５】
尚、前述したデータ送受信システムの実施形態において、つまり、広告システム以外のシステムにおいて、集計手段が設けられることもあり得る。例えば、データサーバ１が有料コンテンツであり、利用者（携帯電話２の保有者）に費用請求される場合、その利用料の一部を手数料として送受信仲介機３の保有者に支払うことがあり得る。このような場合、送受信仲介機２を経由したデータ量を集計手段で集計して手数料を算出する。
【００５６】
尚、上述した広告システムの実施形態において、広告主による広告受付ページへのアクセスが、携帯電話２と送受信仲介機７２との間の無線通信を利用したものとされる場合もあり得る。例えば、ある店舗が送受信仲介機７２を据え付けているとともに、その店舗のオーナー自体が広告主になっている場合があり得る。この場合、その店舗のオーナーが、携帯電話２に誘導具４を装着し、自らの送受信仲介機７２を介して広告受付ページにアクセスする。この場合の誘導具４は、一般の顧客が使用する誘導具４が誘導するＵＲＬ（広告受付ページのＵＲＬ）に誘導するようアクセスプログラムがプログラミングされる。この場合、登録する広告内容は、その店舗にいない顧客に対してのもの（他の送受信仲介機が据え付けられた他の店舗にいる顧客に対するもの）である。従って、その他の送受信仲介機においては、その広告内容は、「送受信仲介機を保有する主体以外の者の商品又はサービスの広告情報」である。
【００５７】
このような利用の仕方は、携帯電話２の操作のみで広告内容の登録ができるので、店舗で接客をしている場合のように、忙しい合間をぬって広告を打つ必要がある場合に特に有効である。店舗のオーナーは、接客をしながら、あるタイミングで集客のために広告が必要だと判断した場合、自らの携帯電話２に誘導具４を装着して広告受付ページにアクセスし、広告内容を登録するようにする。例えばレストランの場合で急に暇になったので、「先着３名様に特別に１０％割引します。」といった広告内容を登録するようなことが考えられる。広告受付ページには、携帯電話２による操作を考慮して、定型文を用意しておき、選択するのみで登録が行えるようにすると好適である。尚、店舗のオーナーが、自分の店舗以外の場所にいて、その場所から別の送受信仲介機７２を経由して広告内容の登録をする場合もあり得る。
【００５８】
上記説明では、集計手段は、データサーバ７１から各送受信仲介機７２を経由して送信されたデータの量を集計したが、逆に、データサーバ７１が携帯電話２から受信するデータの量を集計しても良い。例えば、ファイル取得のリクエストの回数を集計して広告手数料を算出したりすることが考えられる。さらには、データ送信量とデータ受信量の双方を集計して、これらに基づいて広告手数料を算出しても良い。また、データの量ではなく、各送受信仲介機７２を経由してデータ送受信をしている時間を集計するようにしてもよい。この場合には、データサーバ７１は、各送受信仲介機７２との間の通信時間を積算するプログラムを備えることになる。
【００５９】
次に、病院の発明の実施形態について説明する。
図１２は、病院の発明の実施形態の概略構成を示した図である。図１２に示す病院は、外来患者を受け付けるものであって、上述したデータ送受信システムの発明の実施形態を利用したものとなっている。具体的には、当該病院及びその付近の限定されたエリア内での外来患者による携帯電話２からの無線発信を受信してデータ送受信のアクセスを受け付ける送受信仲介機８２と、送受信仲介機８２を介して携帯電話２との間でデータ送受信を行うデータサーバ８１とを備えている。送受信仲介機８２は、誘導具４が携帯電話２のデータ端子に装着されることにより、データサーバ８１へのアクセスを受け付けるものである。
【００６０】
携帯電話２及び誘導具４の構成は、データ送受信システムの場合と基本的に同様である。送受信仲介機８２は、病院内に据え付けられている。送受信仲介機８２とデータサーバ８１とは、病院内のＬＡＮ８３上に設けられている。送受信仲介機８２が受信可能な範囲（ローカル出力の大きさ）は、病院内及びその周辺のエリアに限定される。
【００６１】
図１２に示すように、ＬＡＮ８３上には管理用クライアント８４が設けられている。管理用クライアント８４は、データサーバ８１に対してデータ処理を要求するコンピュータである。総合病院のように、外来診察を受け付ける科が複数ある場合（内科、外科、…）、管理用クライアント８４は、それぞれの科において設けられる。
【００６２】
尚、データサーバ８１には、不図示の外来患者ＤＢＦとこれを管理するデータベースプログラムがインストールされている。管理用クライアント８４は、初診患者の際の入力メニューがあり、ここから氏名等を入力すると、自動的に患者ＩＤが付与され、外来患者ＤＢＦの新しいレコードに登録されるようになっている。尚、患者ＩＤは、患者が持参する診察券に表記される。
【００６３】
データサーバ８１は、順番に診察される各外来患者の診察の終了状況に関するデータを送信するものとなっている。具体的には、データサーバ８１には、診察の申し込みを受け付けた外来患者の氏名を順に記録した外来受付ファイル８１１と、管理用クライアント８４の操作により、外来受付ファイル８１１に外来患者のデータを登録する外来登録プログラム８１２と、同じく管理用クライアント８４の操作により、診察が終了した患者の入力を行う診察終了入力プログラム８１３と、診察の終了状況を表示したＷＭＬファイル８１４を送信する順番送信プログラム８１５とがインストールされている。
【００６４】
外来受付ファイル８１１は、データベースファイルでもよいが、マイクロソフト社のＥｘｃｅｌ（同社の登録商標）のような表計算用のファイルでも足りる。図１３は、外来受付ファイル８１１の一例について示した概略図であり、表計算用のファイルとなっている。外来受付ファイル８１１は、診察の科ごとに作られ、一日の診察がすべて終了した場合、内容がすべて消去される。
【００６５】
外来登録プログラム８１２は、外来患者を受け付けた際、外来受付ファイル８１１にデータを記録するプログラムである。外来登録プログラム８１２は、管理用クライアント８４における入力により、外来患者の識別記号（以下、患者ＩＤ）及び氏名を入力するようになっている。管理用クライアント８４において、患者ＩＤが入力されると、外来登録プログラム８１２が実行される。外来登録プログラム８１２は、患者ＩＤを検索キーにして外来患者ＤＢＦを検索し、患者の氏名（カナ）を読みとる。そして、図１０に外来受付ファイル８１１の最終行に、患者ＩＤ及び氏名（カナ）のデータが自動的に記録するようになっている。
【００６６】
また、診察終了入力プログラム８１３は、管理用クライアント８４における入力に従い、図１３に示す外来受付ファイル８１１の「審査終了？」の列の該当セルに、「了」の文字を入力するプログラムである。管理用クライアント８４では、診察が終了した患者の患者ＩＤを入力するようになっており、これが入力されると、診察終了プログラムは、外来受付ファイル８１１の「患者ＩＤ」の列のセルを検索し、該当する患者ＩＤの行の「診察終了？」の列のセルに「了」の文字を自動的に入力するようになっている。尚、このような診察終了入力プログラム８１３ではなく、管理用クライアント８４で外来受付ファイル８１１を開いてマニュアル入力しても良い。
【００６７】
順番送信プログラム８１５は、この実施形態では、携帯電話２からのリクエストに従い、自分の診察の順番が何番目であるかを知らせるプログラムとなっている。図１４は、順番送信プログラム８１５の概略構成を示すフローチャートである。
この実施形態では、外来患者が来院した際、希望者には、誘導具４が渡される。一方、この病院のデータサーバ８１には、外来患者が自分が現在何番目に診察される予定であるかを知るためのページ（以下、順番告知ページ）を提供するＷＭＬファイル８１４が設けられている。誘導具４は、この病院のデータサーバ８１の順番告知ページに誘導するようアクセスプログラムがプログラミングされている。
順番告知ページは、自分の氏名をカナで入力するか又は患者ＩＤを入力してもらうページとなっている。自分の氏名又は患者ＩＤが入力され、送信ボタンが押されると、ＣＧＩプログラムとして順番送信プログラム８１５が起動して実行される。
【００６８】
順番送信プログラム８１５は、最終的に順番出力の値を返すプログラムであるが、デフォルトの順番出力の値は０である。図１４に示すように、順番送信プログラム８１５は、氏名又は患者ＩＤを検索キーにして外来受付ファイル８１１を検索し、該当するものの行における「診察終了？」のセルを特定する。そして、そのセルから一つ上のセルにポインタを移動させ、そのセルのデータが「了」であるかどうかを判断する。「了」であればそのままプログラムを終了する。「了」でなければ、順番出力に１を代入した上で、さらにその上のセルにポインタを移動させる。そのセルが「了」であれば、そのままプログラムを終了させる。「了」でなければ順番出力をさらに１を加えて更新し、さらにポインタを一つ上のセルに移動させる。このようにして、セルのデータが「了」になるまでポインタの移動を繰り返し、「了」になったらプログラムを終了する。そして、順番出力の値を返す。順番出力の値は、所定の返信フォーマットに埋め込まれ、リクエストしてきた携帯電話２に返信される。図１５は、順番出力の値が返信された携帯電話２の画面表示の例を示す図である。
【００６９】
この実施形態によれば、来院した外来患者が病院内又はその付近のエリアにいる場合、携帯電話２の操作により、自分があと何番目に診察されるのか容易に知ることができる。また、病院の待合い室にいる必要がなく、送受信仲介機８２に対して無線通信可能なエリア内にいれば良い。このようなことから、待ち時間の長い病院の場合でもイライラが軽減され、別のことをしながら待つことができる。例えば、病院の付近に喫茶店がある場合、そこでお茶を飲みながら待つことができる。そして、この際、携帯電話２と送受信仲介機８２の間の無線通信の費用を無料とすることができるため、病院にとって外来患者に対するサービスとして最適なものになる。
【００７０】
上記構成において、携帯電話２上での氏名又は患者ＩＤが面倒な場合、これらを無くして自動的に順番出力を表示するようにすることもできる。具体的には、携帯電話２のメモリに個人情報として氏名のカナデータが記憶されているようにしておき、誘導具４のアクセスプログラムは、誘導具４が装着された際、このデータをデータサーバ８１に自動送信するようにする。自動送信されると、順番送信プログラム８１５が自動的に起動し、氏名のカナデータで外来受付ファイル８１１を同様に検索する。以後は、前述した場合と同様である。
尚、この実施形態において、データサーバ８１は、病院内に設けられていなくてもよい。サーバレンタルのサービスを利用する場合のように、別の場所に設けられたサーバをインターネット５を介して利用するものであっても良い。
【００７１】
また、この実施形態において、携帯電話２からのデータサーバ８１へのアクセスは、病院内に設けられた送受信仲介機８２を経由したものでないことがあり得る。例えば、病院から少し離れた所に店舗があり、その店舗に別の送受信仲介機８２が据え付けられているとする。外来患者は、病院で受け付けを済ませた後、この店舗に入り、その店舗内の送受信仲介機８２を介して病院のデータサーバ８１にアクセスすることがあり得る。
尚、この実施形態において、データサーバ８１、送受信仲介機８２等は、医者と看護師、医者同士、看護師同士等におけるコミュニケーションに用いられることもある。
【００７２】
次に、ギャンブルデータ送受信システムの発明の実施形態について説明する。
ギャンブルデータ送受信システムは、不特定多数の者が参加するギャンブルに関するデータを送受信するギャンブルデータ送受信システムであるとともに、上述したデータ送受信システムの発明の実施形態を利用したものとなっている。ギャンブルデータ送受信システムの発明の実施形態は、送受信されるデータ（コンテンツや応答リクエスト）が異なるのみで、ハードウェアの構成は、図９に示す広告システムとほぼ同様である。従って、図示は省略する。
【００７３】
以下の説明では、ギャンブルの一例として、公営競馬を取り上げる。データサーバは、送受信仲介機を介して公営競馬に関するデータを送受信するものとなっている。具体的には、データサーバは、送受信仲介機を介してアクセスした携帯電話に、以下のデータを送信することが可能になっている。
・既に行われたレース結果
・既に行われたレースの配当
・これから行われるレースの枠順（出走表）
・これから行われるレースの出走馬の状態
・これから行われるレースの予想
etc.
データサーバにインストールされた各ＷＭＬファイルは、これらのデータを提供するものとなっている。
【００７４】
また、データサーバは、携帯電話を介して勝ち馬投票券（馬券）の購入が可能となっている。馬券の購入には、会員登録が必要であり、データサーバには、データサーバには会員登録のためのページを提供するＷＭＬファイルが設けられている。このページで、氏名、住所、決済口座等を入力してデータを送信、登録を行う。また、データサーバには、それぞれのレースにおいて馬券の購入申し込みを受け付けるためのページを提供するＷＭＬファイルが設けられている。利用者は、このページから馬券購入に必要なデータを送信して馬券を購入する。このような会員登録や馬券の購入も、すべて誘導具を装着した携帯電話からの通信により行えるようになっている。
【００７５】
送受信仲介機は、喫茶店、パチンコ店などの店舗に据え付けられる。ギャンブルに参加しようとする者は、これらの店舗において、誘導具を携帯電話に装着し、データサーバにアクセスする。尚、前述したように、携帯電話と送受信仲介機との間の無線通信料は無料にすることができる。また、送受信仲介機の費用や、送受信仲介機とデータサーバとの間の通信費用は、ギャンブルの主催者において負担するようにすれば、送受信仲介機を置いてくれる店舗が増えるので、好適である。
この実施形態のギャンブルデータ送受信によれば、携帯電話により簡単にレースに関する情報が得られる上、馬券の購入も行える。そしてその際、利用者の通信費用の負担を少なくすることが容易であるので、サービスの普及が期待できる。
【００７６】
上記説明では、公営競馬が採り上げられたが、競輪やオートレースのような他の公営ギャンブルでもよい。また、サッカーくじに関するデータを送受信するシステムとすることもできる。
また、ギャンブルデータ送受信システムの発明において、ギャンブルの配当処理を行う機能を追加しても良い。例えば、前述した公営競馬用のシステムにおいて、当選した馬券の購入者のアクセスを受け付けるようにし、本人確認等の必要な処理を行った後、予め登録しておいた銀行口座に払戻金を振り込むようにすると好適である。
【００７７】
上述した各実施形態において、誘導具の構成は適宜変更が可能である。例えば、誘導具の構成として、送信器や受信器を備えたものを採用することができる。即ち、誘導具が、アンテナ、送信器及び受信器を備えるようにし、携帯電話からの制御により無線送受信するよう構成することができる。この場合、携帯電話は、キーによるデータ入力やディスプレイ上のデータ表示の機能を担うことになる。
【００７８】
また、誘導具に氏名のような個人情報を記憶させておくようにすることも可能である。具体的には、誘導具は、最初に装着された携帯電話の電話番号や氏名等を携帯電話のメモリから読みとり、誘導具のメモリに記憶するプログラムを備えるようにする。次回のデータ送受信の際には、誘導具のメモリから個人情報を読みとってデータサーバに送るようにする。この場合には、誘導具は携帯電話の持ち主の専用になる。但し、プライバシー保護や悪用防止の観点から、個人情報が異なる携帯電話に装着された場合には、送信不可とすることが好ましい。つまり、誘導具が他の携帯電話の持ち主に使用された場合、いわゆる“成り変わり”的な使用の仕方ができてしまうので、誘導具のメモリに記憶された個人情報と携帯電話のメモリに記憶された個人情報とを照合し、異なるようであれば送信停止とするようアクセスプログラムを構成する。
【００７９】
上記説明では、携帯電話は、ＷＡＰ対応のものとして説明されたが、ｉモードであってもよく、ＰＨＳであってもよい。ＰＨＳには、外出先では携帯電話として使用し、自宅では親電話に対する子機として使用するタイプのものがある。上述した各実施形態の携帯電話の構成として、このタイプのＰＨＳの構成を採用することができる。この場合には、周波数の変更はなく、単に出力を下げるだけの構成（ローカル周波数はなく、ローカル出力だけがある構成）の場合があり得る。
【００８０】
また、送受信仲介機とデータサーバとをつなく有線ネットワークは、企業内ネットワークのような、インターネット以外のネットワークである場合もある。さらには、有線ネットワークは、ＣＡＴＶ（ケーブルテレビ）ネットワークの場合もあり得る。
【産業上の利用可能性】
【００８１】
上述したように、本願発明は、携帯電話を利用したデータ送受信のビジネス及びこれに関連した各種ビジネスに利用が可能である。
【図面の簡単な説明】
【００８２】
【図１】携帯電話データ送受信システムの発明の実施形態の概略構成を示した図である。
【図２】図１のシステムが備える送受信仲介機３の概略構成を示した図である。
【図３】ＷＡＰにおけるプロトコルレイヤの構造を示す概略図である。
【図４】ゲートウェイサーバプログラムの構成について概略的に示した図である。
【図５】携帯電話２に装着される誘導具４の外観概略図である。
【図６】誘導具４及び誘導具４によって誘導される携帯電話２の概略構成を示すブロック図である。
【図７】図１に示す誘導具４の概略構成を示す図である。
【図８】アクセスプログラムの概略を示すフローチャートである。
【図９】広告システムの発明の実施形態の概略構成を示した図である。
【図１０】図９の実施形態におけるデータ量集計プログラムの概略構成を示したフローチャートである。
【図１１】広告手数料算出プログラムの概略構成を示したフローチャートである。
【図１２】病院の発明の実施形態の概略構成を示した図である。
【図１３】外来受付ファイル８１１の一例について示した概略図である。
【図１４】順番送信プログラム８１５の概略構成を示すフローチャートである。
【図１５】順番出力の値が返信された携帯電話２の画面表示の例を示す図である。
【符号の説明】
【００８３】
１  データサーバ
２  携帯電話
２１  受信部
２２  送信部
３  送受信仲介機
３２  受信部
３３  送信部
４  誘導具
５  インターネット
７１  データサーバ
７２  送受信仲介機
８１  データサーバ
８２  送受信仲介機
【図１】
2005057680.tif 000003
【図２】
2005057680.tif 000004
【図３】
2005057680.tif 000005
【図４】
2005057680.tif 000006
【図５】
2005057680.tif 000007
【図６】
2005057680.tif 000008
【図７】
2005057680.tif 000009
【図８】
2005057680.tif 000010
【図９】
2005057680.tif 000011
【図１０】
2005057680.tif 000012
【図１１】
2005057680.tif 000013
【図１２】
2005057680.tif 000014
【図１３】
2005057680.tif 000015
【図１４】
2005057680.tif 000016
【図１５】
2005057680.tif 000017